【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
一般式（Ａ）：ＥｕａＳｉｂＡｌｃＯｄＮｅ
（一般式（Ａ）中、０．００５≦ａ≦０．４、ｂ＋ｃ＝１２、ｄ＋ｅ＝１６を満足する数である）
で表されるβ型ＳＩＡＬＯＮであって、Ｆｅの含有率が２０ｐｐｍ以下、かつ、Ｍｎの含有率が１０ｐｐｍ以下であることを特徴とする２価のユーロピウム付活酸窒化物蛍光体。
【請求項２】
一般式（Ｂ）：ＭＩｆＥｕｇＳｉｈＡｌｋＯｍＮｎ
（一般式（Ｂ）中、ＭＩはＬｉ、Ｎａ、Ｋ、Ｃｓ、Ｍｇ、Ｃａ、Ｓｒ及びＢａから選ばれる少なくとも１種の元素を示し、０＜ｆ≦３．０、０．００５≦ｇ≦０．４、ｈ＋ｋ＝１２、ｍ＋ｎ＝１６を満足する数である）
で表されるα型ＳＩＡＬＯＮであって、Ｆｅの含有率が２０ｐｐｍ以下、かつ、Ｍｎの含有率が１０ｐｐｍ以下であることを特徴とする２価のユーロピウム付活酸窒化物蛍光体。
【請求項３】
前記ＭＩはＬｉおよびＣａから選ばれる少なくとも１種の元素であることを特徴とする請求項２に記載のα型ＳＩＡＬＯＮである２価のユ−ロピウム付活酸窒化物蛍光体。
【請求項４】
一般式（Ｃ）：（ＭＩＩ１−ｐＥｕｐ）ＭＩＩＩＳｉＮ３
（一般式（Ｃ）中、ＭＩＩはアルカリ土類金属元素であり、Ｍｇ、Ｃａ、ＳｒおよびＢａから選ばれる少なくとも１種の元素を示し、ＭＩＩＩは３価の金属元素からなり、Ａｌ、Ｇａ、Ｉｎ、Ｓｃ、Ｙ、Ｌａ、ＧｄおよびＬｕから選ばれる少なくとも１種の元素を示し、０．００１≦ｐ≦０．０５を満足する数である）
で表され、Ｆｅの含有率が１０ｐｐｍ以下、かつ、Ｍｎの含有率が５ｐｐｍ以下であることを特徴とする２価のユーロピウム付活窒化物蛍光体。
【請求項５】
前記ＭＩＩＩがＡｌ、ＧａおよびＩｎから選ばれる少なくとも１種の元素であることを特徴とする請求項４に記載の２価のユーロピウム付活窒化物蛍光体。
【請求項６】
一次光を発する発光素子と、前記一次光の一部を吸収して、一次光の波長よりも長い波長を有する二次光を発する波長変換部とを備えた発光装置であって、前記波長変換部は緑色系発光蛍光体、赤色系発光蛍光体および黄色系発光蛍光体から選ばれる少なくともいずれかを含み、
前記緑色系発光蛍光体は、
一般式（Ａ）：ＥｕａＳｉｂＡｌｃＯｄＮｅ
（一般式（Ａ）中、０．００５≦ａ≦０．４、ｂ＋ｃ＝１２、ｄ＋ｅ＝１６を満足する数である）
で表されるβ型ＳＩＡＬＯＮであって、Ｆｅの含有率が２０ｐｐｍ以下、かつ、Ｍｎの含有率が１０ｐｐｍ以下である２価のユーロピウム付活酸窒化物蛍光体であり、
前記黄色系発光蛍光体は、
一般式（Ｂ）：ＭＩｆＥｕｇＳｉｈＡｌｋＯｍＮｎ
（一般式（Ｂ）中、ＭＩはＬｉ、Ｎａ、Ｋ、Ｃｓ、Ｍｇ、Ｃａ、ＳｒおよびＢａから選ばれる少なくとも１種の元素を示し、０＜ｆ≦３．０、０．００５≦ｇ≦０．４、ｈ＋ｋ＝１２、ｍ＋ｎ＝１６を満足する数である）
で表されるα型ＳＩＡＬＯＮであって、Ｆｅの含有率が２０ｐｐｍ以下、かつ、Ｍｎの含有率が１０ｐｐｍ以下である２価のユーロピウム付活酸窒化物蛍光体であり、
前記赤色系発光蛍光体は、
一般式（Ｃ）：（ＭＩＩ１−ｐＥｕｐ）ＭＩＩＩＳｉＮ３
（一般式（Ｃ）中、ＭＩＩはアルカリ土類金属元素であり、Ｍｇ、Ｃａ、ＳｒおよびＢａから選ばれる少なくとも１種の元素を示し、ＭＩＩＩは３価の金属元素からなり、Ａｌ、Ｇａ、Ｉｎ、Ｓｃ、Ｙ、Ｌａ、ＧｄおよびＬｕから選ばれる少なくとも１種の元素を示し、０．００１≦ｐ≦０．０５を満足する数である）
で表され、Ｆｅの含有率が１０ｐｐｍ以下、かつ、Ｍｎの含有率が５ｐｐｍ以下である２価のユーロピウム付活窒化物蛍光体である、発光装置。
【請求項７】
前記黄色系発光蛍光体として、上記一般式（Ｂ）中、ＭＩがＬｉおよびＣａから選ばれる少なくとも１種の元素である、２価のユーロピウム付活酸窒化物蛍光体を用いたことを特徴とする、請求項６に記載の発光装置。
【請求項８】
前記赤色系発光蛍光体として、上記一般式（Ｃ）中、ＭＩＩＩがＡｌ、ＧａおよびＩｎから選ばれる少なくとも１種の元素である、２価のユーロピウム付活窒化物蛍光体を用いたことを特徴とする、請求項６に記載の発光装置。
【請求項９】
前記発光素子が窒化ガリウム系半導体素子であり、当該発光素子からの一次光が波長４３０〜４８０ｎｍの範囲内にあることを特徴とする請求項６に記載の発光装置。
【手続補正２】
【補正対象書類名】明細書
【補正対象項目名】００１２
【補正方法】変更
【補正の内容】
【００１２】
本発明は、
一般式（Ａ）：ＥｕａＳｉｂＡｌｃＯｄＮｅ
（一般式（Ａ）中、０．００５≦ａ≦０．４、ｂ＋ｃ＝１２、ｄ＋ｅ＝１６を満足する数である）で表されるβ型ＳＩＡＬＯＮであって、Ｆｅの含有率が２０ｐｐｍ以下、かつ、Ｍｎの含有率が１０ｐｐｍ以下であることを特徴とする２価のユーロピウム付活酸窒化物蛍光体である。
【手続補正３】
【補正対象書類名】明細書
【補正対象項目名】００１３
【補正方法】変更
【補正の内容】
【００１３】
また本発明は、
一般式（Ｂ）：ＭＩｆＥｕｇＳｉｈＡｌｋＯｍＮｎ
（一般式（Ｂ）中、ＭＩはＬｉ、Ｎａ、Ｋ、Ｃｓ、Ｍｇ、Ｃａ、Ｓｒ及びＢａから選ばれる少なくとも１種の元素を示し、０＜ｆ≦３．０、０．００５≦ｇ≦０．４、ｈ＋ｋ＝１２、ｍ＋ｎ＝１６を満足する数である）で表されるα型ＳＩＡＬＯＮであって、Ｆｅの含有率が２０ｐｐｍ以下、かつ、Ｍｎの含有率が１０ｐｐｍ以下であることを特徴とする２価のユーロピウム付活酸窒化物蛍光体である。ここにおいて、ＭＩはＬｉおよびＣａから選ばれる少なくとも１種の元素であることが、好ましい。
【手続補正４】
【補正対象書類名】明細書
【補正対象項目名】００１４
【補正方法】変更
【補正の内容】
【００１４】
また、本発明は、
一般式（Ｃ）：（ＭＩＩ１−ｐＥｕｐ）ＭＩＩＩＳｉＮ３
（一般式（Ｃ）中、ＭＩＩはアルカリ土類金属元素であり、Ｍｇ、Ｃａ、ＳｒおよびＢａ
から選ばれる少なくとも１種の元素を示し、ＭＩＩＩは３価の金属元素からなり、Ａｌ、Ｇａ、Ｉｎ、Ｓｃ、Ｙ、Ｌａ、ＧｄおよびＬｕから選ばれる少なくとも１種の元素を示し、０．００１≦ｐ≦０．０５を満足する数である）で表され、Ｆｅの含有率が１０ｐｐｍ以下、かつ、Ｍｎの含有率が５ｐｐｍ以下であることを特徴とする２価のユーロピウム付活窒化物蛍光体である。ここにおいて、ＭＩＩＩがＡｌ、ＧａおよびＩｎから選ばれる少なくとも１種の元素であることが好ましい。
【手続補正５】
【補正対象書類名】明細書
【補正対象項目名】００１５
【補正方法】変更
【補正の内容】
【００１５】
本発明はまた、一次光を発する発光素子と、前記一次光の一部を吸収して、一次光の波長よりも長い波長を有する二次光を発する波長変換部とを備えた発光装置であって、前記波長変換部は緑色系発光蛍光体、黄色系発光蛍光体および赤色系発光蛍光体から選ばれる少なくともいずれかを含み、前記緑色系発光蛍光体は、
一般式（Ａ）：ＥｕａＳｉｂＡｌｃＯｄＮｅ
（一般式（Ａ）中、０．００５≦ａ≦０．４、ｂ＋ｃ＝１２、ｄ＋ｅ＝１６を満足する数である）で表されるβ型ＳＩＡＬＯＮであって、Ｆｅの含有率が２０ｐｐｍ以下、かつ、Ｍｎの含有率が１０ｐｐｍ以下である２価のユーロピウム付活酸窒化物蛍光体であり、前記黄色系発光蛍光体は、
一般式（Ｂ）：ＭＩｆＥｕｇＳｉｈＡｌｋＯｍＮｎ
（一般式（Ｂ）中、ＭＩはＬｉ、Ｎａ、Ｋ、Ｃｓ、Ｍｇ、Ｃａ、ＳｒおよびＢａから選ばれる少なくとも１種の元素を示し、０＜ｆ≦３．０、０．００５≦ｇ≦０．４、ｈ＋ｋ＝１２、ｍ＋ｎ＝１６を満足する数である）で表されるα型ＳＩＡＬＯＮであって、Ｆｅの含有率が２０ｐｐｍ以下、かつ、Ｍｎの含有率が１０ｐｐｍ以下である２価のユーロピウム付活酸窒化物蛍光体であり、前記赤色系発光蛍光体は、
一般式（Ｃ）：（ＭＩＩ１−ｐＥｕｐ）ＭＩＩＩＳｉＮ３
（一般式（Ｃ）中、ＭＩＩはアルカリ土類金属元素であり、Ｍｇ、Ｃａ、ＳｒおよびＢａから選ばれる少なくとも１種の元素を示し、ＭＩＩＩは３価の金属元素からなり、Ａｌ、Ｇａ、Ｉｎ、Ｓｃ、Ｙ、Ｌａ、ＧｄおよびＬｕから選ばれる少なくとも１種の元素を示し、０．００１≦ｐ≦０．０５を満足する数である）で表され、Ｆｅの含有率が１０ｐｐｍ以下、かつ、Ｍｎの含有率が５ｐｐｍ以下である２価のユーロピウム付活窒化物蛍光体である、発光装置についても提供する。